(57)【要約】【課題】リモートにて監視カメラの表示モジュールの表示内容を変更する可能な装置を提供する。【解決手段】少なくとも一つの監視カメラが設けられ、前記監視カメラの少なくとも一側面に表示モジュールが設けられ、前記表示モジュールと前記監視カメラが影像と音声の制御回路によって電気的に接続され、前記影像と音声の制御回路が影像と音声の伝送コードによってデジタル影像と音声の記憶装置に設けられる表示制御モジュールと電気的に接続され、前記表示制御モジュールに外部の入力装置と接続するための連接ポートが設けられ、前記入力装置が前記連接ポートと連接すると、前記入力装置にて変更しようとする表示データを入力することにより、表示モジュールの表示内容を変更できる。【選択図】  図２
0003183045.tif 000002
【実用新案登録請求の範囲】
【請求項１】
少なくとも一つの監視カメラと、デジタル影像と音声の記憶装置と、少なくとも一本の影像と音声の伝送コードと、モニタの伝送コードと、を備え、
前記監視カメラは、その前端に設けられるカメラと、その少なくとも一側面に設けられる表示モジュールと、その内部に設けられる影像と音声の制御回路と、その外部に設けられるパワーサプライから構成され、前記カメラと表示モジュールは、前記影像と音声の制御回路と夫々電気的に接続され、
前記デジタル影像と音声の記憶装置は、その内部がメイン制御回路と表示制御モジュールから構成され、前記表示制御モジュールは、連接ポートが設けられ、前記連接ポートの一端が前記表示制御モジュールと電気的に接続されると共に、他端が外部の入力装置と連接され、
前記影像と音声の伝送コードは、その一端が前記監視カメラの後端に接続されると共に、監視カメラの影像と音声の制御回路と夫々電気的に接続され、他端が前記デジタル影像と音声の記憶装置に接続されると共に、前記デジタル影像と音声の記憶装置のメイン制御回路と電気的に接続され、
前記モニタの伝送コードは、その一端が前記監視カメラの後端に接続されると共に、監視カメラの影像と音声の制御回路と夫々電気的に接続され、他端が前記デジタル影像と音声の記憶装置に接続されると共に、前記デジタル影像と音声の記憶装置の表示制御モジュールと電気的に接続され、
これにより、前記入力装置が前記連接ポートと連接すると、前記入力装置によって変更しようとする表示データを入力することにより、表示モジュールの表示内容を変更できることを特徴とするリモートにて監視カメラの表示モジュールの表示内容を変更する可能な装置。
【請求項２】
前記監視カメラの少なくとも一側面に少なくとも一つの発光ディバイスが設けられることを特徴とする請求項１に記載のリモートにて監視カメラの表示モジュールの表示内容を変更する可能な装置。
【請求項３】
前記連接ポートは、ＵＳＢソケット、ＰＳ２ソケット、２方向ソケット又は３方向ソケットであることを特徴とする請求項１に記載のリモートにて監視カメラの表示モジュールの表示内容を変更する可能な装置。
【請求項４】
前記入力装置は、携帯電話、コンピュータ、携帯情報端末（ＰＤＡ）、マウス又はキーボードであることを特徴とする請求項１に記載のリモートにて監視カメラの表示モジュールの表示内容を変更する可能な装置。
【請求項５】
前記表示モジュールは、液晶表示モニタ、有機発光ダイオード表示モニタ又はＬＥＤ表示モニタであることを特徴とする請求項１に記載のリモートにて監視カメラの表示モジュールの表示内容を変更する可能な装置。
【請求項６】
前記表示内容は、文字、図形、又は文字及び図形であることを特徴とする請求項１に記載のリモートにて監視カメラの表示モジュールの表示内容を変更する可能な装置。
【請求項７】
少なくとも一つの監視カメラと、デジタル影像と音声の記憶装置と、を備え、
前記監視カメラは、その前端に設けられるカメラと、その少なくとも一側面に設けられる表示モジュールと、その内部に設けられる影像と音声の制御回路と、その外部に設けられるパワーサプライから構成され、前記カメラと表示モジュールは、前記影像と音声の制御回路と夫々電気的に接続され、前記影像と音声の制御回路には、ワイアレス接収/発送回路が設けられることにより、前記影像と音声の制御回路はカメラから取られた影像信号を前記ワイアレス接収/発送回路を介して発送すると共に、前記ワイアレス接収/発送回路を介して入力された変更しようとする表示データを接収し、
前記デジタル影像と音声の記憶装置は、その内部がメイン制御回路と表示制御モジュールから構成され、前記メイン制御回路は、ワイアレス接収回路が設けられることにより、前記影像と音声の制御回路からの影像信号を接収し、前記表示制御モジュールは、連接ポートが設けられ、前記連接ポートの一端が前記表示制御モジュールと電気的に接続されると共に、他端が外部の入力装置と連接され、前記表示制御モジュールは、ワイアレス発送回路が更に設けられることにより、前記入力装置にて入力された変更しようとする表示データをワイアレスの伝送方式で前記影像と音声の制御回路のワイアレス接収/発送回路に発送し、
これにより、前記入力装置が前記連接ポートと連接すると、前記入力装置によって変更しようとする表示データを入力すると共に、ワイアレスの伝送方式で発送することにより、表示モジュールの表示内容を変更できることを特徴とするリモートにて監視カメラの表示モジュールの表示内容を変更する可能な装置。
【請求項８】
前記監視カメラの少なくとも一側面に少なくとも一つの発光ディバイスが設けられることを特徴とする請求項７に記載のリモートにて監視カメラの表示モジュールの表示内容を変更する可能な装置。
【請求項９】
前記連接ポートは、ＵＳＢソケット、ＰＳ２ソケット、２方向ソケット又は３方向ソケットであることを特徴とする請求項７に記載のリモートにて監視カメラの表示モジュールの表示内容を変更する可能な装置。
【請求項１０】
前記入力装置は、携帯電話、コンピュータ、携帯情報端末（ＰＤＡ）、マウス又はキーボードであることを特徴とする請求項７に記載のリモートにて監視カメラの表示モジュールの表示内容を変更する可能な装置。
【請求項１１】
少なくとも一つのデジタル監視カメラと、パソコンと、少なくとも一本のデータ伝送コードと、を備え、
前記デジタル監視カメラは、その前端に設けられるカメラと、その少なくとも一側面に設けられる表示モジュールと、その内部に設けられる影像と音声の制御回路と、外部から前記デジタル監視カメラと接続されるパワーサプライから構成され、前記カメラと表示モジュールは、前記影像と音声の制御回路と夫々電気的に接続され、
前記パソコンは、その内部に影像と音声の記憶制御インターフェイスが設けられ、又、前記影像と音声の記憶制御インターフェイスは前記パソコンのメインボードと電気的に接続され、
前記データ伝送コードは、その一端が前記デジタル監視カメラの後端に接続されると共に、デジタル監視カメラの影像と音声の制御回路と夫々電気的に接続され、他端が前記パソコンに接続されると共に、前記パソコンの内部における影像と音声の記憶制御インターフェイスと電気的に接続され、
これにより、前記パソコンの入力装置から変更しようとする表示データを入力することにより、表示モジュールの表示内容を変更できることを特徴とするリモートにて監視カメラの表示モジュールの表示内容を変更する可能な装置。
【請求項１２】
前記デジタル監視カメラの少なくとも一側面に少なくとも一つの発光ディバイスが設けられることを特徴とする請求項１１に記載のリモートにて監視カメラの表示モジュールの表示内容を変更する可能な装置。
【考案の詳細な説明】
【技術分野】
【０００１】
本考案は、リモートにて監視カメラの表示モジュールの表示内容を変更する可能な装置であり、特に表示内容を変更しようとする時、リモートの入力装置によって変更を行うと共に、伝送コードによって監視カメラの表示モジュールに伝送し、そして前記表示モジュールによって変更した表示内容を表示する装置に関するものである。
【背景技術】
【０００２】
監視カメラは、日常の生活中、町の街道、銀行、コンビニ、軍事基地などの場所に良く使用され、それは影像の録画功能だけではなく、リアルに監視の効果を有し、しかし、その主な目的は、犯罪の防止と刑事案件の証拠を提供することであり、監視カメラによって数少ない刑事案件を解決できるだけではなく、犯罪しようとする者に対して威嚇の効果も有するので、犯罪率の降下に役に立つ。従って、監視カメラは、社会にとって重要のものである。
【０００３】
しかし、一般の監視カメラは、監視の効果しか有しなく、他の追加効果を有しない。若し監視カメラの設置場所（例えばレストラン、売り場など）で、クライアントの賀詞、犯罪使用とする者に対して警告語などを提供できれば、クライアントの目線を集中する又は犯罪率の降下を達成できるはず。これ以外に、監視カメラの外観からそれが損害したか否かについて判断できず、若し追加功能を有すれば、監視カメラが損害したか否かを判断でき、これにより、快速にメンテナンスすることができ、監視カメラの正常運転を維持できる。前記の事情により、現有の監視カメラを更に改良する必要がある。
【０００４】
又、従来の監視カメラの構造は、図１に示すように、監視カメラ本体（１）と前記監視カメラ（１）の少なくとも一側面に設けられるモニタ（１３）とを有し、前記監視カメラ本体（１）は、内部に回路基板（１１）を有すると共に、パワーサプライ（１２）と電気的に接続することにより、前記回路基板（１１）に電力を供給し、前記モニタ（１３）は、前記監視カメラ（１）の内部における回路基板（１１）と電気的に接続することにより、前記モニタ（１３）には、前記回路基板（１１）の制御回路（１１１）からの制御信号によって文字又は図案を表示する。
【考案の概要】
【考案が解決しようとする課題】
【０００５】
しかしながら、前記従来の監視カメラの構造は、その制御回路の制御信号によって表示しようとする内容をそのモニタに表示することができるが、そのモニタに表示する表示内容を変更しようとする場合、高い場所に設置される監視カメラ本体を取り外してその監視カメラの内部における制御回路に記憶された表示内容を変更することにより、モニタに表示する表示内容を変更することができる。こうすると、高い場所から監視カメラを一個一個取り外す必要があるため、使用上に非常に不便である。
【０００６】
上述のように、前記従来の監視カメラの構造は、色々な欠点を有し、更に改良する必要がある。従って、前記従来の監視カメラの構造の欠点に対して如何に解決するかが本考案の目的となる。
【課題を解決するための手段】
【０００７】
一、本考案の技術手段 ：
本考案は、変更しようとする表示データを入力装置によって入力し、快速且つ簡単の方式で、表示モジュールの表示内容を変更することができる、リモートにて監視カメラの表示モジュールの表示内容を変更する可能な装置を提供する。
【０００８】
上記の問題を解決すると共に、上記の目的を達成するために、本考案は下記三つの手段を採用する。
［第１技術手段］
少なくとも一つの監視カメラと、デジタル影像と音声の記憶装置と、少なくとも一本の影像と音声の伝送コードと、モニタの伝送コードと、を備え、
前記監視カメラは、その前端に設けられるカメラと、その少なくとも一側面に設けられる表示モジュールと、その内部に設けられる影像と音声の制御回路と、その外部に設けられるパワーサプライから構成され、前記カメラと表示モジュールは、前記影像と音声の制御回路と夫々電気的に接続され、
前記デジタル影像と音声の記憶装置は、その内部がメイン制御回路と表示制御モジュールから構成され、前記表示制御モジュールは、連接ポートが設けられ、前記連接ポートの一端が前記表示制御モジュールと電気的に接続されると共に、他端が外部の入力装置と連接され、
前記影像と音声の伝送コードは、その一端が前記監視カメラの後端に接続されると共に、監視カメラの影像と音声の制御回路と夫々電気的に接続され、他端が前記デジタル影像と音声の記憶装置に接続されると共に、前記デジタル影像と音声の記憶装置のメイン制御回路と電気的に接続され、
前記モニタの伝送コードは、その一端が前記監視カメラの後端に接続されると共に、監視カメラの影像と音声の制御回路と夫々電気的に接続され、他端が前記デジタル影像と音声の記憶装置に接続されると共に、前記デジタル影像と音声の記憶装置の表示制御モジュールと電気的に接続され、
これにより、前記入力装置が前記連接ポートと連接すると、前記入力装置によって変更しようとする表示データを入力することにより、表示モジュールの表示内容を変更できることを特徴とするリモートにて監視カメラの表示モジュールの表示内容を変更する可能な装置を提供する。
【０００９】
前記リモートにて監視カメラの表示モジュールの表示内容を変更する可能な装置において、前記監視カメラの少なくとも一側面に少なくとも一つの発光ディバイスが設けられる。
【００１０】
前記リモートにて監視カメラの表示モジュールの表示内容を変更する可能な装置において、前記連接ポートは、ＵＳＢソケット、ＰＳ２ソケット、２方向ソケット又は３方向ソケットである。
【００１１】
前記リモートにて監視カメラの表示モジュールの表示内容を変更する可能な装置において、前記入力装置は、携帯電話、コンピュータ、携帯情報端末（ＰＤＡ）、マウス又はキーボードである。
【００１２】
前記リモートにて監視カメラの表示モジュールの表示内容を変更する可能な装置において、前記表示モジュールは、液晶表示モニタ、有機発光ダイオード表示モニタ又はＬＥＤ表示モニタである。
【００１３】
前記リモートにて監視カメラの表示モジュールの表示内容を変更する可能な装置において、前記表示内容は、文字、図形、又は文字及び図形である。
【００１４】
［第２技術手段］
少なくとも一つの監視カメラと、デジタル影像と音声の記憶装置と、を備え、
前記監視カメラは、その前端に設けられるカメラと、その少なくとも一側面に設けられる表示モジュールと、その内部に設けられる影像と音声の制御回路と、その外部に設けられるパワーサプライから構成され、前記カメラと表示モジュールは、前記影像と音声の制御回路と夫々電気的に接続され、前記影像と音声の制御回路には、ワイアレス接収/発送回路が設けられることにより、前記影像と音声の制御回路はカメラから取られた影像信号を前記ワイアレス接収/発送回路を介して発送すると共に、前記ワイアレス接収/発送回路を介して入力された変更しようとする表示データを接収し、
前記デジタル影像と音声の記憶装置は、その内部がメイン制御回路と表示制御モジュールから構成され、前記メイン制御回路は、ワイアレス接収回路が設けられることにより、前記影像と音声の制御回路からの影像信号を接収し、前記表示制御モジュールは、連接ポートが設けられ、前記連接ポートの一端が前記表示制御モジュールと電気的に接続されると共に、他端が外部の入力装置と連接され、前記表示制御モジュールは、ワイアレス発送回路が更に設けられることにより、前記入力装置にて入力された変更しようとする表示データをワイアレスの伝送方式で前記影像と音声の制御回路のワイアレス接収/発送回路に発送し、
これにより、前記入力装置が前記連接ポートと連接すると、前記入力装置によって変更しようとする表示データを入力すると共に、ワイアレスの伝送方式で発送することにより、表示モジュールの表示内容を変更できることを特徴とするリモートにて監視カメラの表示モジュールの表示内容を変更する可能な装置を提供する。
【００１５】
前記リモートにて監視カメラの表示モジュールの表示内容を変更する可能な装置において、前記監視カメラの少なくとも一側面に少なくとも一つの発光ディバイスが設けられる。
【００１６】
前記リモートにて監視カメラの表示モジュールの表示内容を変更する可能な装置において、前記連接ポートは、ＵＳＢソケット、ＰＳ２ソケット、２方向ソケット又は３方向ソケットである。
【００１７】
前記リモートにて監視カメラの表示モジュールの表示内容を変更する可能な装置において、前記入力装置は、携帯電話、コンピュータ、携帯情報端末（ＰＤＡ）、マウス又はキーボードである。
【００１８】
［第３技術手段］
少なくとも一つのデジタル監視カメラと、パソコンと、少なくとも一本のデータ伝送コードと、を備え、
前記デジタル監視カメラは、その前端に設けられるカメラと、その少なくとも一側面に設けられる表示モジュールと、その内部に設けられる影像と音声の制御回路と、外部から前記デジタル監視カメラと接続されるパワーサプライから構成され、前記カメラと表示モジュールは、前記影像と音声の制御回路と夫々電気的に接続され、
前記パソコンは、その内部に影像と音声の記憶制御インターフェイスが設けられ、又、前記影像と音声の記憶制御インターフェイスは前記パソコンのメインボードと電気的に接続され、
前記データ伝送コードは、その一端が前記デジタル監視カメラの後端に接続されると共に、デジタル監視カメラの影像と音声の制御回路と夫々電気的に接続され、他端が前記パソコンに接続されると共に、前記パソコンの内部における影像と音声の記憶制御インターフェイスと電気的に接続され、
これにより、前記パソコンの入力装置から変更しようとする表示データを入力することにより、表示モジュールの表示内容を変更できることを特徴とするリモートにて監視カメラの表示モジュールの表示内容を変更する可能な装置を提供する。
【００１９】
前記リモートにて監視カメラの表示モジュールの表示内容を変更する可能な装置において、前記デジタル監視カメラの少なくとも一側面に少なくとも一つの発光ディバイスが設けられる。
【考案の効果】
【００２０】
二、従来の技術に対する効果
本考案による提供するリモートにて監視カメラの表示モジュールの表示内容を変更する可能な装置は、前記の構成を有するので、下記のメリットと効果を達成できる。
本考案の第１技術手段は、デジタル影像と音声の記憶装置に表示制御モジュールが設けられると共に、前記表示制御モジュールに設けられる連接ポートによって変更しようとする表示データを入力するための入力装置と電気的に接続され、そしてモニタの伝送コードによって影像と音声の制御回路に伝送し、前記影像と音声の制御回路によって表示モジュールの表示内容を変更する。これにより、高い場所に移動して監視カメラを取り外す必要がないので、安全であり、且つ前記入力装置によってより快速、簡単に高い場所に設けられる表示モジュールの表示内容を変更することもできる。
【００２１】
本考案の第２技術手段は、デジタル影像と音声の記憶装置に表示制御モジュールが設けられると共に、前記表示制御モジュールに設けられる連接ポートによって変更しようとする表示データを入力するための入力装置と電気的に接続され、そして前記表示制御モジュールに設けられるワイアレス接収/発送回路によって影像と音声の制御回路を介して表示モジュールの表示内容を変更する。この方式は、前記第１技術手段と異なり、ワイヤレスの方式で表示モジュールの表示内容を変更する目的を達成し、複数の監視カメラを設置する必要がないので、伝送コードの散乱を防止できる。
【００２２】
本考案の第３技術手段は、パソコンの内部に影像と音声の記憶制御インターフェイスが設けられ、前記影像と音声の記憶制御インターフェイスが前記パソコンの内部におけるメインボードと電気的に接続され、パソコンの外部に設けられると共に、変更しようとする表示データを入力するためのコンピュータ入力装置が前記メインボードと電気的に接続し、そしてデータ伝送コードによって影像と音声の制御回路へ伝送し、前記影像と音声の制御回路によって表示モジュールの表示内容を変更する。この方式は、前記第１技術手段と異なり、デジタル影像と音声の記憶装置（ＤＶＲ）をパソコンの内部に内蔵し、且つ前記データ伝送コードは、変更しようとする表示データが影像と音声の制御回路を介して伝送され、表示モジュールの表示内容を変更するだけではなく、カメラから撮られた影像信号を影像と音声の制御回路を介して影像と音声の記憶制御インターフェイスに伝送し、そして前記影像と音声の記憶制御インターフェイスからメインボードに伝送することができる。簡単に言うと、前記データ伝送コードは、双方向の伝送効果を有している。
【図面の簡単な説明】
【００２３】
【図１】従来の監視カメラの構造を示す斜視参考図である。
【図２】本考案の第１実施形態を示す斜視参考図である。
【図３】本考案の第２実施形態を示す斜視参考図である。
【図４】本考案の第１実施形態を示すブロックフローチャートである。
【図５】本考案の第３実施形態を示す斜視参考図である。
【図６】本考案の第３実施形態を示すブロックフローチャートである。
【考案を実施するための形態】
【００２４】
以下、添付図面を参照して本考案の好適な実施の形態を詳細に説明する。尚、下記実施例は、本考案の好適な実施の形態を示したものにすぎず、本考案の技術的範囲は、下記実施形態そのものに何ら限定されるものではない。
【実施例１】
【００２５】
図２に示すのは、本考案の第１実施形態を示す斜視参考図であり、図４に示すのは、本考案の第１実施形態を示すブロックフローチャートである。
【００２６】
図２と図４に示すように、本考案に係わるリモートにて監視カメラの表示モジュールの表示内容を変更する可能な装置は、少なくとも一つの監視カメラ（２）と、デジタル影像と音声の記憶装置（３）と、少なくとも一本の影像と音声の伝送コード（５）と、モニタの伝送コード（６）と、を備え、
前記監視カメラ（２）は、その前端に設けられるカメラ（２１）と、その少なくとも一側面に設けられる表示モジュール（２２）と、その内部に設けられる影像と音声の制御回路（２３）と、その外部に設けられるパワーサプライ（２４）から構成され、前記カメラ（２１）と表示モジュール（２２）は、前記影像と音声の制御回路（２３）と夫々電気的に接続され、
前記デジタル影像と音声の記憶装置（３）は、その内部がメイン制御回路（３１）と表示制御モジュール（３２）から構成され、前記表示制御モジュール（３２）は、連接ポート（３２１）が設けられ、前記連接ポート（３２１）の一端が前記表示制御モジュール（３２）と電気的に接続されると共に、他端が外部の入力装置（４）と連接され、
前記影像と音声の伝送コード（５）は、その一端が前記監視カメラ（２）の後端に接続されると共に、監視カメラ（２）の影像と音声の制御回路（２３）と夫々電気的に接続され、他端が前記デジタル影像と音声の記憶装置（３）に接続されると共に、前記デジタル影像と音声の記憶装置（３）のメイン制御回路（３１）と電気的に接続され、
前記モニタの伝送コード（６）は、その一端が前記監視カメラ（２）の後端に接続されると共に、監視カメラ（２）の影像と音声の制御回路（２３）と夫々電気的に接続され、他端が前記デジタル影像と音声の記憶装置（３）に接続されると共に、前記デジタル影像と音声の記憶装置（３）の表示制御モジュール（３２）と電気的に接続され、
これにより、前記入力装置（４）が前記連接ポート（３２１）と連接すると、前記入力装置（４）によって変更しようとする表示データを入力することにより、表示モジュール（２２）の表示内容（７）を変更できる。
【００２７】
前記入力装置（４）に入力された変更しようとする表示データは、先ず前記表示制御モジュール（３２）から前記モニタの伝送コード（６）へ伝送し、そして前記モニタの伝送コード（６）から前記影像と音声の制御回路（２３）へ伝送した後、前記影像と音声の制御回路（２３）によって表示モジュール（２２）の表示内容（７）を変更する。この方式により、従来の監視カメラのように高い場所から取り外すことを必要がなく、監視カメラ本体（１）の内部における制御回路（１１１）に記憶された表示内容（７）を変更できる。
【００２８】
前記の構成において、前記表示内容（７）は、文字、図形、又は文字及び図形である。
【００２９】
前記表示内容（７）は、文字であってもよく、例えば「いらっしゃいませ」、「録画中」、図形、又は文字及び図形であっても良い。前記表示内容（７）は、監視カメラ（２）の設置場所、状況にによって調整することができる。
【００３０】
前記の構成において、前記監視カメラ（２）の少なくとも一側面に少なくとも一つの発光ディバイス（２５）が設けられる。
【００３１】
前記監視カメラ（２）に設けられる発光ディバイス（２５）により、発光して便利にメンテナンスする目的を達成できる。
【００３２】
前記の構成において、前記入力装置（４）は、携帯電話、コンピュータ、携帯情報端末（ＰＤＡ）、マウス又はキーボードである。
【００３３】
前記入力装置（４）は、携帯電話、コンピュータ、携帯情報端末（ＰＤＡ）、マウス又はキーボードであり、前記コンピュータ、マウス又はキーボードは、入力装置（４）として使用されるだけではなく、現在の生活において、携帯電話と携帯情報端末（ＰＤＡ）は不可欠の用品であり、且つその功能と利便性がコンピュータより優れるので、入力装置（４）として使用されても可能である。この科技の日進月歩の日々には、更に便利、快速の方式で前記表示モジュール（２２）の表示内容（７）を変更することを望んでいる。
【００３４】
前記の構成において、前記連接ポート（３２１）は、ＵＳＢソケット、ＰＳ２ソケット、２方向ソケット又は３方向ソケットである。
【００３５】
前記連接ポート（３２１）は、ＵＳＢソケット、ＰＳ２ソケット、２方向ソケット又は３方向ソケットであることにより、異なる入力装置（４）と電気的に接続することが可能となると共に、変更しようとする表示データを入力できる。
【実施例２】
【００３６】
図３に示すのは、本考案の第２実施形態を示す斜視参考図である。図３に示すように、本考案に係わるリモートにて監視カメラの表示モジュールの表示内容を変更する可能な装置は、少なくとも一つの監視カメラ（２）と、デジタル影像と音声の記憶装置（３）と、を備え、
前記監視カメラ（２）は、その前端に設けられるカメラ（２１）と、その少なくとも一側面に設けられる表示モジュール（２２）と、その内部に設けられる影像と音声の制御回路（２３）と、その外部に設けられるパワーサプライ（２４）から構成され、前記カメラ（２１）と表示モジュール（２２）は、前記影像と音声の制御回路（２３）と夫々電気的に接続され、前記影像と音声の制御回路（２３）には、ワイアレス接収/発送回路（２３１）が設けられることにより、前記影像と音声の制御回路（２３）はカメラ（２１）から取られた影像信号を前記ワイアレス接収/発送回路（２３１）を介して発送すると共に、前記ワイアレス接収/発送回路（２３１）を介して入力された変更しようとする表示データを接収し、
前記デジタル影像と音声の記憶装置（３）は、その内部がメイン制御回路（３１）と表示制御モジュール（３２）から構成され、前記メイン制御回路（３１）は、ワイアレス接収回路（３１１）が設けられることにより、前記影像と音声の制御回路（２３）からの影像信号を接収し、前記表示制御モジュール（３２）は、更に連接ポート（３２１）が設けられ、前記連接ポート（３２１）の一端が前記表示制御モジュール（３２）と電気的に接続されると共に、他端が外部の入力装置（４）と連接され、前記表示制御モジュール（３２）は、ワイアレス発送回路（３２２）が更に設けられることにより、前記入力装置（４）にて入力された変更しようとする表示データをワイアレスの伝送方式で前記影像と音声の制御回路（２３）のワイアレス接収/発送回路（２３１）に発送し、
これにより、前記入力装置（４）が前記連接ポート（３２１）と連接すると、前記入力装置（４）によって変更しようとする表示データを入力すると共に、ワイアレスの伝送方式で発送することにより、表示モジュール（２２）の表示内容（７）を変更できる。
【００３７】
前記入力装置（４）に入力された変更しようとする表示データは、先ず前記表示制御モジュール（３２）に設けられるワイアレス発送回路（３２２）によってワイヤレス信号に転換され、ワイヤレスの方式で発送し出し、そして前記信号が前記影像と音声の制御回路（２３）のワイアレス接収/発送回路（２３１）によって接収された後、前記前記影像と音声の制御回路（２３）によって表示モジュール（２２）へ伝送することにより、変更された表示内容（７）を表示する。
【００３８】
前記の構成において、前記監視カメラ（２）の少なくとも一側面に少なくとも一つの発光ディバイス（２５）が設けられる。
【００３９】
前記監視カメラ（２）に設けられる発光ディバイス（２５）により、発光して便利にメンテナンスする目的を達成できる。
【００４０】
前記の構成において、前記入力装置（４）は、携帯電話、コンピュータ、携帯情報端末（ＰＤＡ）、マウス又はキーボードである。
【００４１】
前記入力装置（４）は、携帯電話、コンピュータ、携帯情報端末（ＰＤＡ）、マウス又はキーボードであり、前記コンピュータ、マウス又はキーボードは、入力装置（４）として使用されるだけではなく、現在の生活において、携帯電話と携帯情報端末（ＰＤＡ）は不可欠の用品であり、且つその功能と利便性がコンピュータより優れるので、入力装置（４）として使用されても可能である。この科技の日進月歩の日々には、更に便利、快速の方式で前記表示モジュール（２２）の表示内容（７）を変更することを望んでいる。
【００４２】
前記の構成において、前記連接ポート（３２１）は、ＵＳＢソケット、ＰＳ２ソケット、２方向ソケット又は３方向ソケットである。
【００４３】
前記連接ポート（３２１）は、ＵＳＢソケット、ＰＳ２ソケット、２方向ソケット又は３方向ソケットであることにより、異なる入力装置（４）と電気的に接続することが可能となると共に、変更しようとする表示データを入力できる。
【実施例３】
【００４４】
図５に示すのは、本考案の第３実施形態を示す斜視参考図であり、図６に示すのは、本考案の第３実施形態を示すブロックフローチャートである。
【００４５】
図５と図６に示すように、本考案に係わるリモートにて監視カメラの表示モジュールの表示内容を変更する可能な装置は、少なくとも一つのデジタル監視カメラ（２ａ）と、パソコン（８）と、少なくとも一本のデータ伝送コード（９）と、を備え、
前記デジタル監視カメラ（２ａ）は、その前端に設けられるカメラ（２１ａ）と、その少なくとも一側面に設けられる表示モジュール（２２ａ）と、その内部に設けられる影像と音声の制御回路（２３ａ）と、外部から前記デジタル監視カメラ（２ａ）と接続されるパワーサプライ（２４ａ）から構成され、前記カメラ（２１ａ）と表示モジュール（２２ａ）は、前記影像と音声の制御回路（２３ａ）と夫々電気的に接続され、
前記パソコン（８）は、その内部に影像と音声の記憶制御インターフェイス（８１）が設けられ、又、前記影像と音声の記憶制御インターフェイス（８１）は前記パソコン（８）のメインボード（８２）と電気的に接続され、
前記データ伝送コード（９）は、その一端が前記デジタル監視カメラ（２ａ）の後端に接続されると共に、デジタル監視カメラ（２ａ）の影像と音声の制御回路（２３ａ）と夫々電気的に接続され、他端が前記パソコン（８）に接続されると共に、前記パソコン（８）の内部における影像と音声の記憶制御インターフェイス（８１）と電気的に接続され、
これにより、前記パソコン（８）の入力装置（８３）から変更しようとする表示データを入力することにより、表示モジュール（２２ａ）の表示内容（７）を変更できる。
【００４６】
前記入力装置（８３）にて入力された表示データは、先ずパソコン（８）のメインボード（８２）から影像と音声の記憶制御インターフェイス（８１）に伝送し、前記影像と音声の記憶制御インターフェイス（８１）からデータ伝送コード（９）に伝送した後、前記データ伝送コード（９）によって影像と音声の制御回路（２３ａ）に伝送し、最後に前記影像と音声の制御回路（２３ａ）によって表示モジュール（２２ａ）の表示内容（７）を変更する。又、前記パソコン（８）の内部におけるメインボード（８２）は、更に複数のサーバー（１０）と電気的に接続することができ、これらのサーバー（１０）が複数のパソコン（８）と電気的に接続すると共に、複数のパソコン（８）と複数のデジタル監視カメラ（２ａ）と電気的に接続することにより、大規模の区域デジタル監視カメラ（２ａ）システムになることができる。
【００４７】
上述したように、本考案に係わるリモートにて監視カメラの表示モジュールの表示内容を変更する可能な装置の実施形態は、確かに達成しようとする効果を達成でき、出願前に公開したこともなく、又同じような製品にも見えないので、実用新案法の規定と要求に満たし、従って、出願して実用新案登録させるよう願う。
【符号の説明】
【００４８】
１      監視カメラ本体
１１    回路基板
１１１  制御回路
１２    パワーサプライ
１３    モニタ
２      監視カメラ
２ａ    デジタル監視カメラ
２１    カメラ
２１ａ  カメラ
２２    表示モジュール
２２ａ  表示モジュール
２３    影像と音声の制御回路
２３ａ  影像と音声の制御回路
２３１  ワイアレス接収/発送回路
２４    パワーサプライ
２４ａ  パワーサプライ
２５    発光ディバイス
３      デジタル影像と音声の記憶装置
３１    メイン制御回路
３１１  ワイアレス接収回路
３２    表示制御モジュール
３２１  連接ポート
３２２  ワイアレス発送回路
４      入力装置
５      影像と音声の伝送コード
６      モニタの伝送コード
７      表示内容
８      パソコン
８１    影像と音声の記憶制御インターフェイス
８２    メインボード
８３    入力装置
８４    スクリーン
９      データ伝送コード
１０    サーバー
【図１】
0003183045.tif 000003
【図２】
0003183045.tif 000004
【図３】
0003183045.tif 000005
【図４】
0003183045.tif 000006
【図５】
0003183045.tif 000007
【図６】
0003183045.tif 000008